(57)【特許請求の範囲】
【請求項１】
被写体を撮像して当該被写体像に応じたデイジタル映像信号を生成する撮像手段と、
上記デイジタル映像信号に対する水平同期信号及び垂直同期信号を生成するタイミング信号生成部と、
システムクロツクを水平アドレス値としてカウントし、上記水平同期信号の立ち上がりに応じて上記水平アドレス値をリセツトする水平アドレスカウンタと、上記水平アドレス値に対して第１の係数を乗算して第１の乗算値を算出する第１の係数乗算器と、上記水平同期信号を垂直アドレス値としてカウントし、上記垂直同期信号の立ち上がりに応じて上記垂直アドレス値をリセツトする垂直アドレスカウンタと、上記垂直アドレス値に対して第２の係数を乗算して第２の乗算値を算出する第２の係数乗算器と、上記垂直同期信号をフイールド番号値としてカウントするフイールドカウンタと、上記フイールド番号値に対して正又は負の整数でなる第３の係数を乗算して第３の乗算値を算出する第３の係数乗算器と、上記第１、第２及び第３の乗算値を加算する加算値を算出する加算器と、斜線の挿入位置を出力の反転により表す挿入クロツクデータを上記加算値に応じて生成するレジスタとを有する挿入位置決定手段と、
上記デイジタル映像信号の輝度レベルが所定の挿入レベル範囲にあるか否かを判別する判別手段と、
上記判別手段により上記挿入レベル範囲にあると判別された部分の上記デイジタル映像信号に対して、上記挿入クロツクデータが表す上記挿入位置に応じて上記挿入信号を挿入する信号挿入手段と、
上記信号挿入手段によって上記挿入信号が挿入された上記デイジタル映像信号を表示する表示手段と
を具えることを特徴とする撮像装置。
【請求項２】
上記レジスタは、
上記加算値のうち、任意の位の値に応じて出力を反転させることにより上記挿入クロツクデータを生成する
ことを特徴とする請求項１に記載の撮像装置。
【請求項３】
上記レジスタは、
８ビツトで入力される上記加算値のうち、下位４ビツトの下位値を格納し、当該下位置のうちの最上ビツトの値に応じて出力を反転させることにより上記挿入クロツクデータを生成する
ことを特徴とする請求項１に記載の撮像装置。
【請求項４】
上記挿入位置決定手段は、
予め設定されたデユーテイ比に応じて上記デイジタル映像信号を構成する画素データに対する上記斜線と上記映像部分との割合を決定する
ことを特徴とする請求項１に記載の撮像装置。
【請求項５】
被写体を撮像して当該被写体像に応じたデイジタル映像信号を生成する撮像ステツプと、
上記デイジタル映像信号に対する水平同期信号及び垂直同期信号を生成するタイミング信号生成ステツプと、
システムクロツクをカウントすることにより生成され上記水平同期信号の立ち上がりに応じてリセツトされる水平アドレス値に対して第１の係数を乗算して第１の乗算値を算出し、上記水平同期信号をカウントすることにより生成され上記垂直同期信号の立ち上がりに応じてリセツトされる垂直アドレス値に対して第２の係数を乗算して第２の乗算値を算出し、上記垂直同期信号をカウントすることにより生成され上記フイールド番号値に対して正又は負の整数でなる第３の係数を乗算して第３の乗算値を算出し、上記第１、第２及び第３の乗算値を加算する加算値を算出し、斜線の挿入位置を出力の反転により表す挿入クロツクデータを上記加算値に応じて生成し、また上記デイジタル映像信号の輝度レベルが所定の挿入レベル範囲にあるか否かを判別する決定判別ステツプと、
上記決定判別ステツプにおいて上記挿入レベル範囲にあると判別された部分の上記デイジタル映像信号に対して、上記挿入クロツクデータが表す上記挿入位置に応じて上記挿入信号を挿入する信号挿入ステツプと、
上記信号挿入ステツプにおいて上記挿入信号が挿入された上記デイジタル映像信号を表示する表示ステツプと
を具えることを特徴とする撮像方法。
【発明の詳細な説明】
【０００１】
【発明の属する技術分野】
本発明はビデオカメラ装置に関し、例えば放送業務用のデイジタルビデオカメラに適用して好適なものである。
【０００２】
【従来の技術】
従来、この種の業務用のデイジタルビデオカメラにおいては、被写体の明るさを検出して、当該被写体に対する最適な露出レベルをオペレータがフアインダを目視確認しながら調整することにより、適正な露出合わせを行うようになされている。
【０００３】
【発明が解決しようとする課題】
ところが、このデイジタルビデオカメラは、フアインダに表示された映像のうち、予め設定された輝度レベルに対応する映像部分のみ露出合わせできるようになされている。このためオペレータが所望する映像部分を任意に露出合わせすることができれば、より一層最適な露出合わせを行うことができ、この結果格段と機能性を向上させることができる。
【０００４】
しかしながら従来のデイジタルビデオカメラでは、フアインダの前段にアナログ回路からなる設定手段を取り付けた後、当該設定手段を用いて予めオペレータが複数の輝度レベルを自由に設定しておき、必要に応じて所望の輝度レベルに対応する映像部分の露出合わせを行うことは非常に困難であつた。
【０００５】
かかる外付けの設定手段では、デイジタルビデオカメラ本体内の種々の回路と信号同期させることが困難となり、特にアナログＶＴＲの再生信号が外部入力された場合には信号の非同期状態が後段のフアインダにおいて顕著に現れるという問題があつた。さらに複数の輝度レベルを設定させた場合には、設定手段には電子ボリユームや接続線を追加する必要があり回路規模が大きくかつ煩雑となり、実用上未だ不十分な問題があつた。
【０００６】
本発明は以上の点を考慮してなされたもので、簡易な構成で格段と機能性を向上させ得る撮像装置及び撮像方法を提案しようとするものである。
【０００７】
【課題を解決するための手段】
かかる課題を解決するため本発明においては、被写体を撮像して当該被写体像に応じたデイジタル映像信号を生成する撮像手段と、デイジタル映像信号に対する水平同期信号及び垂直同期信号を生成するタイミング信号生成部と、システムクロツクを水平アドレス値としてカウントし、水平同期信号の立ち上がりに応じて水平アドレス値をリセツトする水平アドレスカウンタと、水平アドレス値に対して第１の係数を乗算して第１の乗算値を算出する第１の係数乗算器と、水平同期信号を垂直アドレス値としてカウントし、垂直同期信号の立ち上がりに応じて垂直アドレス値をリセツトする垂直アドレスカウンタと、垂直アドレス値に対して第２の係数を乗算して第２の乗算値を算出する第２の係数乗算器と、垂直同期信号をフイールド番号値としてカウントするフイールドカウンタと、フイールド番号値に対して正又は負の整数でなる第３の係数を乗算して第３の乗算値を算出する第３の係数乗算器と、第１、第２及び第３の乗算値を加算する加算値を算出する加算器と、斜線の挿入位置を出力の反転により表す挿入クロツクデータを加算値に応じて生成するレジスタとを有する挿入位置決定手段と、デイジタル映像信号の輝度レベルが所定の挿入レベル範囲にあるか否かを判別する判別手段と、判別手段により挿入レベル範囲にあると判別された部分のデイジタル映像信号に対して、挿入クロツクデータが表す挿入位置に応じて挿入信号を挿入する信号挿入手段と、信号挿入手段によって挿入信号が挿入されたデイジタル映像信号を表示する表示手段とを設けるようにした。この結果、表示手段には、所定の挿入レベル範囲に相当する部分のデイジタル映像信号に所定の挿入信号が垂直同期信号に同期して変化するように挿入された状態でデイジタル映像信号に基づく映像が表示され、かくしてオペレータに挿入信号を確実に目視確認させることができ、当該オペレータに簡易に露出合わせさせることができる。
【０００８】
さらに本発明においては、被写体を撮像して当該被写体像に応じたデイジタル映像信号を生成する撮像ステツプと、デイジタル映像信号に対する水平同期信号及び垂直同期信号を生成するタイミング信号生成ステツプと、システムクロツクをカウントすることにより生成され水平同期信号の立ち上がりに応じてリセツトされる水平アドレス値に対して第１の係数を乗算して第１の乗算値を算出し、水平同期信号をカウントすることにより生成され垂直同期信号の立ち上がりに応じてリセツトされる垂直アドレス値に対して第２の係数を乗算して第２の乗算値を算出し、垂直同期信号をカウントすることにより生成されフイールド番号値に対して正又は負の整数でなる第３の係数を乗算して第３の乗算値を算出し、第１、第２及び第３の乗算値を加算する加算値を算出し、斜線の挿入位置を出力の反転により表す挿入クロツクデータを加算値に応じて生成し、またデイジタル映像信号の輝度レベルが所定の挿入レベル範囲にあるか否かを判別する決定判別ステツプと、決定判別ステツプにおいて挿入レベル範囲にあると判別された部分のデイジタル映像信号に対して、挿入クロツクデータが表す挿入位置に応じて挿入信号を挿入する信号挿入ステツプと、信号挿入ステツプにおいて挿入信号が挿入されたデイジタル映像信号を表示する表示ステツプとを設けるようにした。この結果、所定の挿入レベル範囲に相当する部分のデイジタル映像信号に所定の挿入信号が垂直同期信号に同期して変化するように挿入された状態でデイジタル映像信号に基づく映像を表示することができ、かくしてオペレータに挿入信号を確実に目視確認させることができ、当該オペレータに簡易に露出合わせさせることができる。
【０００９】
【発明の実施の形態】
以下図面について、本発明の一実施の形態を詳述する。
【００１０】
図１において、１は全体として本発明を適用したデイジタルビデオカメラを示し、被写体の光学像がカメラ部２に入射されると、当該カメラ部２は内蔵されたＣＣＤ（Charge Coupled Device ）において光電変換した後、得られた撮像信号Ｓ１をカメラ信号処理部３に送出する。
【００１１】
カメラ信号処理部３は、撮像信号Ｓ１に対してフレアー補正、ブラツクセツト、シエーデイング補正、ニー圧縮及びガンマ補正等の種々の信号処理を順次施した後、得られたビデオ信号Ｓ２をＶＴＲ共通信号処理部４に送出する。
【００１２】
ＶＴＲ共通信号処理部４は、カメラ信号処理部３から供給されるビデオ信号Ｓ２の他に、外部のＶＴＲ（図示せず）から出力される再生ビデオ信号Ｓ３も供給されると、制御部５の制御のもと、これら各ビデオ信号Ｓ２、Ｓ３を輝度信号及び色差信号に分離した後、それぞれ所定の信号処理を施すことにより、得られたデイジタル映像信号Ｓ４を記録部６に送出する。
【００１３】
またＶＴＲ共通信号処理部４からはデイジタル映像信号Ｓ４が出力系信号処理部７及びフアインダ信号処理部８に供給され、出力系信号処理部７は、制御部５の制御のもと外部出力端子（図示せず）から当該デイジタル映像信号Ｓ４を出力すると共に、フアインダ信号処理部８は、制御部５の制御のもと必要に応じて所定の信号処理を施した後、後段のビユーフアンダ１０に画面表示する。
【００１４】
なお制御部５は、バス９を介してＶＴＲ共通信号処理部４、出力系信号処理部７及びフアインダ信号処理部８に必要に応じて所定の制御信号を送出すると共に、ＶＴＲ共通信号処理部４、出力系信号処理部７及びフアインダ信号処理部８からデイジタル映像信号Ｓ４を受ける。
【００１５】
また制御部５は、バス９に接続されたタイミング信号生成部１１からデイジタルビデオカメラ１全体のシステムクロツクＳＣＬを読み出して各回路６、７及び８に送出すると共に、必要に応じてデイジタル映像信号Ｓ４に同期した垂直同期パルス信号ＳVP及び水平同期パルス信号ＳHPがフアインダ信号処理部８に送出する。
【００１６】
ここでフアインダ信号処理部８においては、図２に示すように、制御部５から出力される制御信号Ｓ１０がラツチ部２０に与えられると共に、デイジタル映像信号Ｓ４に同期した垂直同期パルス信号ＳVPが与えられる。ラツチ部２０は、垂直同期パルス信号ＳVPに同期したフイールド周期で、制御信号Ｓ１０のうち斜線濃度レベルを選択するデータ（以下、これを斜線濃度選択データと呼ぶ）Ｄ１を挿入レベル設定部２１に送出すると共に、当該制御信号Ｓ１０のうち斜線挿入対象となる輝度レベルの範囲を選択するデータ（以下、これを斜線挿入選択データと呼ぶ）Ｄ２を比較レベル設定部２２送出し、さらに挿入許可するか否かを表すデータ（以下、これを挿入許可データと呼ぶ）Ｄ３を挿入制御部２５に送出する。
【００１７】
挿入レベル設定部２１は、斜線濃度選択データＤ１に応じて挿入斜線濃度を決定した後、これを濃度決定データＤ４としてスイツチ２３の一入力端ａに送出する。なおスイツチ２３の他入力端ｂ及び後述するレベル比較部２４には、それぞれＶＴＲ共通信号処理部４（図１）からデイジタル映像信号Ｓ４が与えられる。
【００１８】
続いて比較レベル設定部２２は、斜線挿入選択データＤ２に応じて斜線挿入対象となる画素群の輝度レベル（以下、これを斜線挿入レベルと呼ぶ）の上限及び下限の値をそれぞれ設定した後、これらを上限値設定データＤ５及び下限値設定データＤ６としてレベル比較部２４に送出する。
【００１９】
このレベル比較部２４にはデイジタル映像信号Ｓ４が供給され、当該デイジタル映像信号Ｓ４の輝度レベルを、上限設定値データＤ５及び下限設定データＤ６に基づく上限及び下限の斜線挿入レベルとそれぞれフイールドごとに比較することにより、当該比較結果である比較データＤ７を挿入制御部２５に送出する。
【００２０】
またフアインダ信号処理部８においては、制御部５の制御に応じて、タイミング信号生成部１１からデイジタルビデオカメラ１全体のシステムクロツクＳＣＬと、デイジタル映像信号Ｓ４に同期した垂直同期パルス信号ＳVP及び水平同期パルス信号ＳHPとが挿入基準クロツク生成部２６に供給される。
【００２１】
この実施の携帯の場合、システムクロツクＳＣＬは13.5〔ＭHz〕、垂直同期パルス信号ＳVP及び水平同期パルス信号ＳHPはそれぞれ映像垂直同期周期及び映像水平同期周期で１パルスとする。
【００２２】
この挿入基準クロツク生成部２６は、システムクロツクＳＣＬ、垂直同期パルス信号ＳVP及び水平同期パルス信号ＳHPに基づいて各フイールドごとに斜線を挿入する位相タイミングを決定した後、これを挿入基準クロツクデータＤ８として挿入制御部２５に送出する。
【００２３】
挿入制御部２５は、レベル比較部２４から得られる比較データＤ７と、挿入基準クロツク生成部２６から得られる挿入基準クロツクデータＤ８と、ラツチ部２０から得られる挿入許可データＤ３との論理積を計算した後、当該計算結果に応じた切換信号Ｓ１１をスイツチ２３に送出する。
【００２４】
スイツチ２３は、切換信号Ｓ１１に応じてデイジタル映像信号Ｓ４又は濃度決定データＤ４のいずれか一方を選択的に出力し、この結果、ビユーフアインダ１０（図１）の画面には当該選択された信号に応じた映像が表示される。
【００２５】
実際上、このフアインダ信号処理部８において、挿入レベル設定部２６は、図３に示すように、２つのデータテーブル３０Ａ及び３０Ｂがそれぞれスイツチ３１の一入力端ａ及び他入力端ｂに接続されている。これらデータテーブル３０Ａ及び３０Ｂ内のレジスタには、デイジタル映像信号Ｓ４の標準映像レベル（輝度レベル） 100〔％〕に対して斜線挿入濃度が20〔％〕（ダークグレー）及び40〔％〕（グレー）からなる斜線濃度データＤＳA 及びＤＳB が予め格納されている。
【００２６】
この場合、斜線濃度データＤＳA 及びＤＳB は、８ビツトで伝送されるデイジタル映像信号Ｓ４に対して、標準映像レベル（ 100〔％〕）を 220とすると、それぞれ斜線挿入レベルは44（20〔％〕）及び88（40〔％〕）で表される。
【００２７】
この挿入レベル設定部２６に対して、ラツチ部２０から斜線濃度選択データＤ１がフイールド周期で供給されると、当該斜線濃度選択データＤ１に応じてスイツチ３１が切り換えられ、データテーブル３０Ａ及び３０Ｂから読み出された斜線濃度データＤＳA 及びＤＳB のうちのいずれかが濃度決定データＤ４として出力される。
【００２８】
実際上この実施の形態において、挿入レベル設定部２１では、スイツチ２３は入力端子ｂ側に切り換えられ、濃度決定データＤ４として斜線濃度データＤＳB （斜線挿入レベル88（40〔％〕））が選択出力されたものとする。
【００２９】
次に比較レベル設定部２２は、図４に示すように、４つのデータテーブル３３Ａ〜３３Ｄがそれぞれスイツチ３４及び３５の一入力端ａ及び他入力端ｂに対応して接続されている。これらデータテーブル３３Ａ〜３３Ｄのレジスタには、デイジタル映像信号Ｓ４の標準映像レベル１００〔％〕に対して斜線挿入濃度が約１１６〔％〕、７５〔％〕、１００〔％〕及び６５〔％〕からなる挿入レベルデータＤＹＡ〜ＤＹＢが予め格納されている。
【００３０】
この場合、挿入レベルデータＤＹA 〜ＤＹD は、８ビツトで伝送されるデイジタル映像信号Ｓ４に対して、標準映像レベル（ 100〔％〕）を 220とすると、それぞれ斜線挿入レベルは 255（約 116〔％〕）、 165（75〔％〕）、 220（ 100〔％〕）及び 143（65〔％〕）で表される。
【００３１】
この比較レベル設定部２２に対して、ラツチ部２０から斜線挿入選択データＤ２がフイールド周期で供給されると、当該斜線挿入選択データＤ２に応じてスイツチ３４及び３５が連動して切り換えられ、データテーブル３３Ａ及び３３Ｃから読み出された挿入レベルデータＤＹA 及びＤＹC 、又はデータテーブル３３Ｂ及び３３Ｄから読み出された挿入レベルデータＤＹB 及びＤＹD のうちどちらかが上限値設定データＤ５及び下限値設定データＤ６として出力される。
【００３２】
実際上この実施の形態において、比較レベル設定部２２では、スイツチ３４及び３５は共に入力端子ｂ側に切り換えられ、上限値設定データＤ５及び下限値設定データＤ６としてそれぞれ挿入レベルデータＤＹB 及びＤＹD （斜線挿入レベル 165（75〔％〕）及び 143（65〔％〕））が選択出力されたものとする。
【００３３】
またレベル比較部２４は、デイジタル映像信号Ｓ４、上限値設定データＤ５及び下限値設定データＤ６が供給されると、図５に示すレベル比較処理手順ＲＴ１に従つてデイジタル映像信号Ｓ４の輝度レベルの比較を開始する。
【００３４】
すなわちレベル比較部２４は、図５のステツプＳＰ０から当該処理手順ＲＴ１に入り、ステツプＳＰ１においてデイジタル映像信号Ｓ４の映像レベルが上限設定値データＤ５（挿入レベルデータＤＹB ）の斜線挿入レベルよりも小さいか否かを判断する。
【００３５】
このステツプＳＰ１において肯定結果を得ると、レベル比較部２４は、ステツプＳＰ２に進んで、デイジタル映像信号Ｓ４の輝度レベルが下限設定データＤ６（挿入レベルデータＤＹD ）の斜線挿入レベルよりも大きいか否かを判断する。
【００３６】
このステツプＳＰ２において肯定結果を得ると、このことはデイジタル映像信号Ｓ４の輝度レベルが上限及び下限の斜線挿入レベルの範囲（ 143〜 165）内であることを表しており、このときレベル比較部２４は、ステツプＳＰ３に進んで、論理レベル「Ｈ」となる比較データＤ７を出力した後、そのままステツプＳＰ５に進んで当該処理手順ＲＴ１を終了する。
【００３７】
これに対してステツプＳＰ１及びステツプＳＰ２において否定結果を得ると、このことはデイジタル映像信号Ｓ４の輝度レベルが上限及び下限の斜線挿入レベルの範囲外であることを表しており、このときレベル比較部２４は、ステツプＳＰ４に進んで、論理レベル「Ｌ」となる比較データＤ７を出力した後、そのままステツプＳＰ５に進んで当該処理手順ＲＴ１を終了する。
【００３８】
さらに挿入基準クロツク生成部２６は、図６に示すように、Ｈアドレスカウンタ４０、Ｖアドレスカウンタ４１及びフイールドカウンタ４２を有し、制御部５の制御に応じてタイミング信号生成部１１から読み出されたシステムクロツクＳＣＬ（図７（Ａ））がＨアドレスカウンタ４０に供給されると共に、水平同期パルス信号ＳHPがＨアドレスカウンタ４０がＶアドレスカウンタ４１に供給され、さらに垂直同期パルス信号ＳVPがＶアドレスカウンタ４１及びフイールドカウンタ４２に供給される。
【００３９】
まずＨアドレスカウンタ４０は、水平同期パルス信号ＳHPをシステムクロツクＳＣＬに同期してカウントアツプしながら、当該カウント値を水平アドレスデータＤHA（図７（Ｂ））として係数乗算器４３を介して加算器４４に送出する。この水平アドレスデータＤHAのカウント値は次の水平同期パルス信号ＳHPの立上りでリセツトされる。
【００４０】
またＶアドレスカウンタ４１は、垂直同期パルス信号ＳVPを水平同期パルス信号ＳHPに同期してカウントアツプしながら、当該カウント値を垂直アドレスデータＤVA（図７（Ｃ））として係数乗算器４５を介して加算器４４に送出する。この垂直アドレスデータＤVAのカウント値は次の垂直同期パルス信号ＳVPの立上りでリセツトされる。
【００４１】
さらにフイールドカウンタ４２は、垂直同期パルス信号ＳVPに同期してカウントアツプしながら、当該カウント値をフイールド番号データＤFN（図７（Ｄ））として係数乗算器４６を介して加算器４４に送出する。
【００４２】
このとき係数乗算器４３、４５及び４６では、それぞれ設定された係数の値に応じて挿入斜線の内容を変更できるようになされている。
【００４３】
このうち係数乗算器４３において、係数値ｌを０に設定すれば水平線となり、正の整数に設定すれば当該係数値ｌの大きさに応じて挿入斜線の線幅が変わる。また係数乗算器４５において、係数値ｍを０に設定すれば垂直線となり、正数又は負数に設定すればそれぞれ左下がり又は右下がりとなり、当該係数値ｍの大きさに比例して傾斜の度合いが緩くなる。
【００４４】
さらに係数乗算器４６において、係数値ｎを０に設定すればフイールドごとに固定位置となり、正数又は負数に設定すればフイールドごとに左方向又は右方向にずれ、当該係数値ｎの大きさに比例してずれる割合が大きくなる。この実施の形態の場合、各係数乗算器４３における係数値ｌ、ｍ、ｎはそれぞれ１、−２、１と設定する。
【００４５】
加算器４４は、水平アドレスデータＤHAのカウント値をｌ（＝１）倍したデータと、垂直アドレスデータＤVAのカウント値をｍ（＝−２）倍したデータと、フイールド番号データＤFNのカウント値をｎ（＝１）倍したデータとを加算することにより、当該加算結果を挿入位相データＤIP（図７（Ｅ））としてレジスタ４７に格納する。
【００４６】
レジスタ４７には、挿入位相データＤIPが順次供給されると共に、挿入状態設定部４８から挿入斜線の挿入タイミングとそのデユーテイ比を表す設定データＤTDが与えられる（図７（Ｆ））。この結果、レジスタ４７は、設定データＤTDに基づいて、挿入位相データＤIPのうちシステムクロツクＳＣＬの16クロツク分を斜線の挿入タイミング（すなわち８クロツクごとに出力反転する）と設定すると共に、当該斜線と映像部分とのデユーテイ比を50〔％〕に設定した後、これを挿入クロツクデータＤ８（図７（Ｇ））として挿入制御部２５に送出する。
【００４７】
なお４ビツトのレジスタ４７に８ビツトの挿入位相データＤIPが供給されると、レジスタ４７には、挿入位相データＤIPのうち下位の４ビツトの値が格納される。このためフイールドカウンタ４２を４ビツトにすればレジスタ４７を逐次リセツトする必要がなくて済む。かくしてレジスタ４７からは、入力される８ビツトの挿入位相データＤIPにおける下位の４ビツトのうちの最上位ビツト（ＭＳＢ：Most Significant Bit）が斜線挿入タイミングのトリガとなり、そのまま挿入クロツクデータＤ８として出力される。
【００４８】
続いて挿入制御部２５は、図８に示すように、ＡＮＤ演算子からなるゲート回路５０から構成され、挿入基準クロツク生成部２６から出力される挿入基準クロツクデータＤ８と、ラツチ部２０から出力される挿入許可データＤ３と、レベル比較部２４から出力される比較データＤ７との論理積を計算した後、これら各データの論理レベルが全て「Ｈ」のときのみ論理レベル「Ｈ」の切換信号Ｓ１１（図７（Ｈ））をスイツチ２３に出力する。
【００４９】
かくしてスイツチ２３（図２）では、論理レベル「Ｈ」の切換信号Ｓ１１のとき入力端子ｂ側に切り換えられ、濃度決定データＤ４を出力する一方、論理レベル「Ｌ」の切換信号Ｓ１１のとき入力端子ａ側に切り換えられ、デイジタル映像信号Ｓ４を出力する（図７（Ｉ））。
【００５０】
このように図７（Ａ）〜（Ｉ）では０フイールドの０ラインについて斜線挿入タイミングを述べたが、以下同様にして、０フイールドの１ライン及び２ライン（図９（Ａ）〜（Ｉ）及び図１０（Ａ）〜（Ｉ））、１フイールドの０ライン及び１ライン（図１１（Ａ）〜（Ｉ）及び図１２（Ａ）〜（Ｉ））、並びに２フイールドの０ライン及び１ライン（図１３（Ａ）〜（Ｉ）及び図１４（Ａ）〜（Ｉ））の斜線挿入タイミングもそれぞれ表すこととする。
【００５１】
かくしてこのフアインダ信号処理部８を介して濃度決定データＤ４が出力されたときのビユーフアインダ１０の表示状態は図１５のようにフイールドごとに表される。この場合、０フイールド（図１６（Ａ））、１フイールド（図１６（Ｂ）及び２フイールド（図１６（Ｃ））について、８サンプル幅の挿入線が、ラインごとに右へ２サンプル、フイールドごとに左へ１サンプルずつ移動して外観上流動的に見える斜線を形成する。
【００５２】
以上の構成において、このデイジタルビデオカメラ１を用いた撮影時にデイジタル映像信号Ｓ４がフイールド周期でフアインダ信号処理部８に与えられると、フアインダ信号処理部８は、デイジタル映像信号Ｓ４の輝度レベルが、予め設定されている複数の斜線挿入レベルのうちオペレータが所望する斜線挿入レベルの範囲内にあるか否かを判断した後、肯定結果が得られたときのみ、デイジタル映像信号Ｓ４に代えて、所定のタイミングで所望の挿入斜線濃度からなる濃度決定データＤ４を選択的にビユーフアインダ１０に送出する。
【００５３】
この結果ビユーフアインダ１０には、被写体に基づく映像が表示されると共に、上述の斜線挿入レベルの範囲内に相当する映像部分には、濃度決定データＤ４に応じた流動斜線が挿入される。かくしてオペレータはビユーフアインダ１０を目視確認しながら、自分が所望する映像部分のみを任意に露出合わせすることができる。
【００５４】
さらにこのように所望の映像部分のみ流動斜線を挿入するようにしたことにより、例えば図１７（Ａ）及び（Ｂ）に示すようにビユーフアインダ１０の表示画面Ｍに比較的明るい背景をバツクにして人物を撮影した場合、一番明るい背景を斜線挿入レベルとして設定しておけば、それ以上明るい部分にも斜線ＳＬが挿入されるため露出オーバーとして警告することができる。また人物の顔等の肌を斜線挿入レベルとして設定しておけば、当該人物の肌のみ斜線ＳＬが挿入されるため適正な露出合わせを行う際の斜線挿入レベルの確認を行うことができる。
【００５５】
さらにこのデイジタルビデオカメラ１においては、フアインダ信号処理部８をビユーフアインダ１０の前段の信号経路上に設けたことにより、従来のように外付けである場合と比較して、外部のＶＴＲから得られる再生ビデオ信号Ｓ３に対して容易に信号同期させることができる。
【００５６】
以上の構成によれば、被写体の撮影結果からなるデイジタル映像信号Ｓ４のうち、オペレータが所望する斜線挿入レベルの範囲内にある輝度レベルを選択的にビユーフアインダ１０に送出して、当該輝度レベルに対応する映像部分に流動斜線を挿入させるようにしたことにより、オペレータは所望の映像部分を任意に露出合わせすることができ、かくして簡易な構成で格段と機能性を向上させ得るデイジタルビデオカメラ１を実現することができる。
【００５７】
なお上述の実施の形態においては、種々の斜線挿入レベルの範囲を複数設定しておき、必要に応じて選択された所定範囲内の斜線挿入レベルと、デイジタル映像信号Ｓ４の輝度レベルとを比較するレベル比較手段を、フアインダ信号処理部８内のラツチ部２０、挿入レベル設定部２１、比較レベル設定部２２及びレベル比較部２４から構成した場合について述べたが、本発明はこれに限らず、この他種々の構成を広く適用できる。また斜線挿入レベルの範囲して 255〜 220及び 165〜 143の２種類を設定しておくようにしたが、これ以外にも種々の斜線挿入レベルの範囲を３種類以上設定しておくようにしても良い。
【００５８】
また上述の実施の形態においては、ビユーフアインダ１０に表示されたデイジタル映像信号Ｓ４に基づく映像のうち、所定の斜線挿入レベルの範囲内の輝度レベルに対応する映像部分に所定のマークを挿入するようになされたマーク挿入手段を、フアインダ信号処理部８内の挿入基準クロツク生成部２６及び挿入制御部２５から構成した場合について述べたが、本発明はこれに限らず、この他種々の構成を広く適用できる。
【００５９】
さらに上述の実施の形態においては、マーク挿入手段から得られるマークとして、フイールド及びラインごとに所定量ずつずらすことによつて形成される流動斜線を適用した場合について述べたが、本発明はこれに限らず、要はオペレータが所望の輝度レベルに対応する映像部分を明確に目視により識別できれば、流動斜線以外にも種々のマークを適用しても良い。
【００６０】
さらに上述の実施の形態においては、フアインダ信号処理部８内の挿入レベル設定部２１は、２種類の濃度レベルが設定され、必要に応じて選択された所定の濃度レベルで挿入斜線の濃度を設定するようにした場合について述べたが、本発明はこれに限らず、濃度レベルを３種類以上設定しておくようにしても良い。
【００６１】
【発明の効果】
上述のように本発明によれば、被写体を撮像して当該被写体像に応じたデイジタル映像信号を生成し、デイジタル映像信号に対する水平同期信号及び垂直同期信号を生成し、システムクロツクをカウントすることにより生成され水平同期信号の立ち上がりに応じてリセツトされる水平アドレス値に対して第１の係数を乗算して第１の乗算値を算出し、水平同期信号をカウントすることにより生成され垂直同期信号の立ち上がりに応じてリセツトされる垂直アドレス値に対して第２の係数を乗算して第２の乗算値を算出し、垂直同期信号をカウントすることにより生成されフイールド番号値に対して正又は負の整数でなる第３の係数を乗算して第３の乗算値を算出し、第１、第２及び第３の乗算値を加算する加算値を算出し、斜線の挿入位置を出力の反転により表す挿入クロツクデータを加算値に応じて生成し、またデイジタル映像信号の輝度レベルが所定の挿入レベル範囲にあるか否かを判別し、挿入レベル範囲にあると判別された部分のデイジタル映像信号に対して、挿入クロツクデータが表す挿入位置に応じて挿入信号を挿入し、挿入信号が挿入されたデイジタル映像信号を表示することにより、所定の挿入レベル範囲に相当する部分のデイジタル映像信号に所定の挿入信号が垂直同期信号に同期して変化するように挿入された状態でデイジタル映像信号に基づく映像が表示され、オペレータに挿入信号を確実に目視確認させることができるため、当該オペレータに簡易に露出合わせさせることができ、かくして簡易な構成で格段と機能性を向上させ得る撮像装置及び撮像方法を実現できる。
【図面の簡単な説明】
【図１】本発明によるデイジタルビデオカメラの一実施の形態を示すブロツク図である。
【図２】図１に示すフアインダ信号処理部の構成を示すブロツク図である。
【図３】図２に示す挿入レベル設定ブロツクの構成を示すブロツク図である。
【図４】図２に示す比較レベル設定部の構成を示すブロツク図である。
【図５】図２に示すレベル比較部におけるレベル比較処理手順を表すフローチヤートである。
【図６】図２に示す挿入基準クロツク生成部の構成を示すブロツク図である。
【図７】斜線挿入タイミングの説明に供するタイミングチヤートである。
【図８】図２に示す挿入制御部の構成を示すブロツク図である。
【図９】斜線挿入タイミングの説明に供するタイミングチヤートである。
【図１０】斜線挿入タイミングの説明に供するタイミングチヤートである。
【図１１】斜線挿入タイミングの説明に供するタイミングチヤートである。
【図１２】斜線挿入タイミングの説明に供するタイミングチヤートである。
【図１３】斜線挿入タイミングの説明に供するタイミングチヤートである。
【図１４】斜線挿入タイミングの説明に供するタイミングチヤートである。
【図１５】フイールド及びラインの説明に供する略線図である。
【図１６】ビユーフアインダにおける挿入斜線の表示状態を表す平面図である。
【図１７】ビユーフアインダにおける斜線挿入例を表す平面図である。
【符号の説明】
１……デイジタルビデオカメラ、２……カメラ部、３……カメラ信号処理部、４……ＶＴＲ共通信号処理部、５……制御部、８……フアインダ信号処理部、１０……ビユーフアインダ、１１……タイミング信号生成部、２０……ラツチ部、２１……挿入レベル設定部、２２……比較レベル設定部、２３……スイツチ、２４……レベル比較部、２５……挿入制御部、２６……挿入基準クロツク生成部。
【図１】
0004055092.tif 000002
【図２】
0004055092.tif 000003
【図３】
0004055092.tif 000004
【図４】
0004055092.tif 000005
【図５】
0004055092.tif 000006
【図６】
0004055092.tif 000007
【図７】
0004055092.tif 000008
【図８】
0004055092.tif 000009
【図９】
0004055092.tif 000010
【図１０】
0004055092.tif 000011
【図１１】
0004055092.tif 000012
【図１２】
0004055092.tif 000013
【図１３】
0004055092.tif 000014
【図１４】
0004055092.tif 000015
【図１５】
0004055092.tif 000016
【図１６】
0004055092.tif 000017
【図１７】
0004055092.tif 000018